(57)【要約】      （修正有）【課題】リモコンのボタンの数を増やすことなく画面操作のバリエーションを充実させることの可能なデコーダ装置を提供する。【解決手段】デコーダ装置３０は、復号化部３４、画像合成部３６および制御回路３７を具備する。復号化部は、複数のカメラから各々伝送された映像データを復号化して、カメラごとに撮影された映像を再生する。画像合成部は、マルチ画面表示可能なモニタに接続され、再生された映像をモニタに選択的に出力する。制御回路は、操作ボタンを有するリモコン端末６０から送信されたシグナルに応じてモニタの画面の分割パターンを制御する。また、制御回路は切替機能を備える。切替機能は、操作ボタンに対応するシグナルを受信すると、分割パターンを複数の表示モードのうちで巡回的に切り替える。【選択図】図２
2018056946.tif 000002
【特許請求の範囲】
【請求項１】
複数のカメラから各々伝送された映像データを復号化して前記カメラごとに撮影された映像を再生する復号化部と、
マルチ画面表示可能なモニタに接続され、前記再生された映像を前記モニタに選択的に出力する画像合成部と、
操作ボタンを有するリモコン端末から送信されたシグナルに応じて前記モニタの画面の分割パターンを制御する制御回路とを具備し、
前記制御回路は、
前記操作ボタンに対応するシグナルを受信すると、前記分割パターンを複数の表示モードのうちで巡回的に切り替える切替機能を備えるデコーダ装置。
【請求項２】
前記操作ボタンは、
単画面モードを含む複数の表示モードを割り当てられる第１ボタンと、
前記第１ボタンに割り当てられた以外の表示モードを割り当てられる第２ボタンとを含む、請求項１に記載のデコーダ装置。
【請求項３】
前記操作ボタンは、少なくとも第１ボタン、第２ボタンおよび第３ボタンを含み、
前記切替機能は、
前記第１ボタンに対応するシグナルを受信すると、前記分割パターンを単画面モード、２画面モードおよび３画面モードのうちで巡回的に切り替え、
前記第２ボタンに対応するシグナルを受信すると、前記分割パターンを４画面モードおよび５画面モードのうちで巡回的に切り替え、
前記第３ボタンに対応するシグナルを受信すると、前記分割パターンを６画面モードおよび９画面モードのうちで巡回的に切り替える、請求項１に記載のデコーダ装置。
【請求項４】
前記リモコン端末が第４乃至第９ボタンを備える場合に、
前記制御回路は、
前記第４乃至第９ボタンのいずれかに対応するシグナルを受信すると、当該受信したときの分割パターンにおけるいずれか１つの画面を選択する選択機能を備える、請求項３に記載のデコーダ装置。
【請求項５】
マルチ画面表示可能なモニタの表示モードを切り替えるリモコン端末において、
複数の前記表示モードを割り当てられ、当該割り当てられた表示モードを巡回的に切り替える操作ボタンを具備する、リモコン端末。
【請求項６】
前記操作ボタンは、
単画面モードを含む複数の表示モードを割り当てられる第１ボタンと、
前記第１ボタンに割り当てられた以外の表示モードを割り当てられる第２ボタンとを含む、請求項５に記載のリモコン端末。
【請求項７】
前記操作ボタンは、
前記モニタの画面の分割パターンを単画面モード、２画面モードおよび３画面モードのうちで巡回的に切り替える第１ボタンと、
前記分割パターンを４画面モードおよび５画面モードのうちで巡回的に切り替える第２ボタンと、
前記分割パターンを６画面モードおよび９画面モードのうちで巡回的に切り替える第３ボタンとを含む、請求項５に記載のリモコン端末。
【請求項８】
さらに、前記２画面モードにおける第１画面を選択するための第４ボタンと、
前記２画面モードにおける第２画面を選択するための第５ボタンとを備える、請求項７に記載のリモコン端末。
【請求項９】
さらに、前記３画面モードにおける第１画面を選択するための第４ボタンと、
前記３画面モードにおける第２画面を選択するための第５ボタンと、
前記３画面モードにおける第３画面を選択するための第６ボタンとを備える、請求項７に記載のリモコン端末。
【請求項１０】
さらに、前記４画面モードにおける第１画面を選択するための第４ボタンと、
前記４画面モードにおける第２画面を選択するための第５ボタンと、
前記４画面モードにおける第３画面を選択するための第６ボタンと、
前記４画面モードにおける第４画面を選択するための第７ボタンとを備える、請求項７に記載のリモコン端末。
【請求項１１】
さらに、前記５画面モードにおける第１画面を選択するための第４ボタンと、
前記５画面モードにおける第２画面を選択するための第５ボタンと、
前記５画面モードにおける第３画面を選択するための第６ボタンと、
前記５画面モードにおける第４画面を選択するための第７ボタンと、
前記５画面モードにおける第５画面を選択するための第８ボタンとを備える、請求項７に記載のリモコン端末。
【請求項１２】
さらに、前記６画面モードにおける第１画面を選択するための第４ボタンと、
前記６画面モードにおける第２画面を選択するための第５ボタンと、
前記６画面モードにおける第３画面を選択するための第６ボタンと、
前記６画面モードにおける第４画面を選択するための第７ボタンと、
前記６画面モードにおける第５画面を選択するための第８ボタンと、
前記６画面モードにおける第６画面を選択するための第９ボタンとを備える、請求項７に記載のリモコン端末。
【請求項１３】
さらに、前記９画面モードにおける第１画面を選択するための第４ボタンと、
前記９画面モードにおける第２画面を選択するための第５ボタンと、
前記９画面モードにおける第３画面を選択するための第６ボタンと、
前記９画面モードにおける第４画面および第５画面を巡回的に選択するための第７ボタンと、
前記９画面モードにおける第６画面および第７画面を巡回的に選択するための第８ボタンと、
前記９画面モードにおける第８画面および第９画面を巡回的に選択するための第９ボタンとを備える、請求項７に記載のリモコン端末。
【請求項１４】
マルチ画面表示可能なモニタに接続されるデコーダ装置による前記モニタの画面操作方法であって、
操作ボタンを有するリモコン端末から送信されたシグナルを受信すると、前記モニタの画面の分割パターンを複数の表示モードのうちで巡回的に切り替える、画面操作方法。
【請求項１５】
前記操作ボタンが、第１および第２ボタンを有する場合に、
前記第１ボタンに対応するシグナルを受信すると、当該第１ボタンに割り当てられた表示モードのうちで巡回的に切り替え、
前記第２ボタンに対応するシグナルを受信すると、前記第１ボタンに割り当てられた表示モード以外の表示モードを巡回的に切り替える、請求項１４に記載の画面操作方法。
【請求項１６】
前記操作ボタンが、第１乃至第３ボタンを有する場合に、
前記第１ボタンに対応するシグナルを受信すると、前記モニタの画面の分割パターンを単画面モード、２画面モードおよび３画面モードのうちで巡回的に切り替え、
前記リモコン端末から前記第２ボタンに対応するシグナルを受信すると、前記分割パターンを４画面モードおよび５画面モードのうちで巡回的に切り替え、
前記リモコン端末から前記第３ボタンに対応するシグナルを受信すると、前記分割パターンを６画面モードおよび９画面モードのうちで巡回的に切り替える、請求項１４に記載の画面操作方法。
【請求項１７】
前記リモコン端末が第４乃至第９ボタンを備える場合に、
さらに、前記第４乃至第９ボタンのいずれかに対応するシグナルを受信すると、当該受信したときの分割パターンにおけるいずれか１つの画面を選択する、請求項１６に記載の画面操作方法。
【発明の詳細な説明】
【技術分野】
【０００１】
本発明の実施形態は、例えば映像監視システムに利用可能なデコーダ装置、リモコン端末および画面操作方法に関する。
【背景技術】
【０００２】
近年、映像監視システムの需要が拡大している。映像監視システムは異なる地点に配置された複数のカメラからの映像を拠点に集め、対象とするエリアを遠隔から監視できるようにするシステムである。１つのシステムに備えられるカメラの数は数百から千単位にまで及ぶ。拠点にはマルチ画面表示可能なモニタが設置され、子画面のそれぞれに任意のカメラからの映像を切り替え表示できる。これを可能とするのがデコーダ装置である。
【０００３】
デコーダ装置は、映像閲覧装置、映像切替装置、画像回覧装置あるいはＩＰチューナなどと称して知られている。モニタの表示領域（画面）を４つまたは６つの子画面に分割可能なデコーダ装置が知られている。さらに２画面、３画面あるいは５画面表示できる装置が開発されようとしており、高精細モニタに対応して９画面にまで画面の分割パターンを切り替えることのできる装置も考えられている。
【０００４】
分割パターンを切り替えたり、複数のうち一つの画面を選択したり、地点（カメラ）を選択したり、画像のパン、チルト、ズームイン、ズームアウトなどはユーザがリモコンを使って操作する。既存の装置では子画面とリモコンのボタンとがほぼ１対１に対応していたので、表示可能な子画面の数が増えるにつれてリモコンのボタンも増えてしまう。分割パターンの切り替えだけでなく、同じリモコンでカメラも操作しなくてはならないので、リモコンのボタンの数を増やしたくないというニーズは強い。
【先行技術文献】
【特許文献】
【０００５】
【特許文献１】特開２００６−２４６０１９号公報
【特許文献２】特開２００７−１６６５１１号公報
【特許文献３】特開２００９−２３７８６５号公報
【発明の概要】
【発明が解決しようとする課題】
【０００６】
以上述べたように、リモコンのボタンの数を増やすことなく、モニタの表示画面の分割パターンを切り替えたり、選択できる画面の多様化に対応したいというニーズがある。  
目的は、リモコンのボタンの数を増やすことなく画面操作のバリエーションを充実させることの可能なデコーダ装置、リモコン端末および画面操作方法を提供することにある。
【課題を解決するための手段】
【０００７】
実施形態によれば、デコーダ装置は、復号化部、画像合成部および制御回路を具備する。復号化部は、複数のカメラから各々伝送された映像データを復号化して、カメラごとに撮影された映像を再生する。画像合成部は、マルチ画面表示可能なモニタに接続され、再生された映像をモニタに選択的に出力する。制御回路は、操作ボタンを有するリモコン端末から送信されたシグナルに応じてモニタの画面の分割パターンを制御する。また、制御回路は切替機能を備える。切替機能は、操作ボタンに対応するシグナルを受信すると、分割パターンを複数の表示モードのうちで巡回的に切り替える。
【図面の簡単な説明】
【０００８】
【図１】実施形態に係わるデコーダ装置を適用可能な映像監視システムの一例を示すシステム図。
【図２】デコーダ３０の一例を示す機能ブロック図。
【図３】リモコン端末６０の外観の一例を示す図。
【図４】リモコン端末６０の［３−１］ボタンが押下された場合の分割パターンの切り替えについて示す図。
【図５】リモコン端末６０の［３−２］ボタンが押下された場合の分割パターンの切り替えについて示す図。
【図６】リモコン端末６０の［３−３］ボタンが押下された場合の分割パターンの切り替えについて示す図。
【図７】２画面モードにおけるリモコン端末６０の操作と選択される画面との関係を例示する図。
【図８】３画面モードにおけるリモコン端末６０の操作と選択される画面との関係を例示する図。
【図９】４画面モードにおけるリモコン端末６０の操作と選択される画面との関係を例示する図。
【図１０】４画面ａモードにおけるリモコン端末６０の操作と選択される画面との関係を例示する図。
【図１１】４画面ｂモードにおけるリモコン端末６０の操作と選択される画面との関係を例示する図。
【図１２】５画面モードにおけるリモコン端末６０の操作と選択される画面との関係を例示する図。
【図１３】６画面モードにおけるリモコン端末６０の操作と選択される画面との関係を例示する図。
【図１４】６画面ａモードにおけるリモコン端末６０の操作と選択される画面との関係を例示する図。
【図１５】９画面モードにおけるリモコン端末６０の操作と選択される画面との関係を例示する図。
【発明を実施するための形態】
【０００９】
以下、図面を参照して本開示の実施形態について説明する。  
図１は、実施形態に係わるデコーダ装置を適用可能な映像監視システムの一例を示すシステム図である。以下では、複数の監視地点からの映像をセンタに集約し、マルチ画面表示可能なモニタに表示する技術について開示する。この種の技術は例えば道路監視、河川の監視などの分野において利用されることができる。当該技術分野において、特に非常事態（河川の洪水、堤防の決壊、高速道路上の事故や事故後の大渋滞など）が生じたときに複数地点の状況を同時にマルチ画面で監視・確認したいというニーズがある。本実施形態は、そのようなニーズにも応えることができるものである。
【００１０】
図１に示される映像監視システムは、端末側と映像監視側とを含み、両者はいずれもネットワーク１に接続される。ネットワーク１は、相互通信可能な無線回線または有線回線を含み、例えばＬＡＮ（Local  Area  Network）やイントラネット等のＩＰネットワークであり、または他の通信ネットワークでもよい。
【００１１】
端末側は、それぞれ例えば監視箇所に設置される、複数のカメラ装置１０を備える。カメラ装置１０は、カメラ１１と周辺機器１２とを含む。周辺機器１２は、カメラ１１の動作を制御するカメラコントローラ１３、エンコーダ１４、及び電源部（図示せず）を有し、ネットワーク１と無線または有線により接続される。
【００１２】
エンコーダ１４は、カメラ１１から出力される映像信号（撮影映像）をデジタルの符号化データに変換する。周辺機器１２は、エンコーダ１４から出力される符号化データをネットワーク１にマルチキャスト伝送する。なお、符号化データは、映像データ、音声データ、及び映像フォーマットに含まれるカメラ名称や撮影日時などの文字データも含む。
【００１３】
映像監視側は、カメラサーバ２０、デコーダ３０、および操作用パーソナルコンピュータ（ＰＣ）５０とを有する。カメラサーバ２０は、映像監視側のメインコントローラであり、操作用ＰＣ５０からの選択信号に応じて、複数のカメラ装置１０の各エンコーダ１４の何れかをデコーダ３０に接続する制御を実行する。また、カメラサーバ２０は、カメラ装置１０から伝送される符号化データをストレージに蓄積する構成でもよい。
【００１４】
デコーダ３０は、複数のカメラ装置１０から受信した符号化データからそれぞれ映像データ（音声データ及び文字データを含む）を再生し、一つ、あるいは複数の映像データを選択的にモニタ４０に出力する。モニタ４０は、画面上にカメラ１１に撮影された映像を表示する。
【００１５】
実施形態におけるモニタ４０は、マルチ画面表示機能を備える。それぞれ表示態様の異なる複数の分割パターンがある。例えば、４分割された子画面のサイズがそれぞれ均等な分割パターンがある。また、４つの子画面のうちいずれかが主画面となり、他の画面がそれより小さいサイズで表示されるモードもある。実施形態ではこれらを４画面ａ、４画面ｂ等と称して区別する。さらに、２画面、３画面、５画面、６画面（６画面ａ）および９画面の、それぞれ異なる分割パターンがあり、１画面（単画面）モードも含めると多数の分割パターンがある。
【００１６】
図２は、デコーダ３０の一例を示す機能ブロック図である。デコーダ３０は、インターフェース部３１、バッファ装置３２、映像復号化部３４、文字処理部３５、画像合成部３６、制御回路３７、信号処理部３８、および受光部３９を備える。
【００１７】
インターフェース部３１は、伝送回線１００を介してネットワーク１に接続され、データの入出力を実行する。すなわちインターフェース部３１は、ネットワーク１を経由して伝送されるデータを伝送回線１００経由で受信し、内部処理用に適したデータフォーマットに変換する。
【００１８】
バッファ装置３２は、ハードディスクドライブ（ＨＤＤ）などの記録メディアであり、映像復号化部３４および文字処理部３５による復号化処理に必要なデータの格納容量を有する。具体例としては、バッファ装置３２は、例えばカメラ１１による１週間分から２週間分の撮影時間に相当するデータ（映像と音声）を格納する格納容量を有する。
【００１９】
映像復号化部３４はバッファ装置３２に格納されたデータから、カメラ１１により取得された映像を復号化して出力する。すなわち映像復号化部３４は、複数のカメラ装置１０から各々伝送された映像データを復号化して、カメラ装置１０ごとに撮影された映像を再生する。文字処理部３５は、バッファ装置３２に格納されたデータから、映像フォーマットに含まれるカメラ１１のカメラ名称や撮影日時などの文字データを抽出する。
【００２０】
画像合成部３６は、映像復号化部３４から出力される映像と、文字処理部３５から出力される文字データとを合成してモニタ４０に出力する。これにより、モニタ４０の画面上には、カメラ１１により撮影された映像及び撮影日時などの文字列が表示される。また画像合成部３６は、制御回路３７から指定された分割パターンに従って、表示すべき映像を選択的にモニタ４０に出力する。
【００２１】
受光部３９は、リモコン端末６０から送信された制御シグナル（例えば、赤外線による信号）を受信（受光）する。この制御シグナルは、ユーザによるリモコン端末６０を用いた操作に関連付けられた制御情報である。受光部３９は、受信した制御シグナルを信号処理部３８に出力する。信号処理部３８は、制御シグナルに含まれる情報を抽出して制御回路３７に渡す。
【００２２】
制御回路３７は、ＣＰＵ（Central  Processing  Unit）などのプロセッサおよびメモリを有する、例えばＦＰＧＡ（Field  Programmable  Gate  Array）などのハードウェアデバイスである。ＣＰＵが、当該メモリに書き込まれたプログラムに従って計算を実行することで各種の制御機能が実現される。例えば制御回路３７は、リモコン端末６０から送信されたシグナルに応じてモニタ４０の画面の分割パターンを制御する。
【００２３】
ところで、制御回路３７は、実施形態に係わる処理機能としてパターン切替機能３７ａおよび画面選択機能３７ｂを備える。
【００２４】
パターン切替機能３７ａは、リモコン端末６０に備わる第１ボタンに対応するシグナルを受信すると、モニタ４０の分割パターンを単画面モード、２画面モードおよび３画面モードのうちで巡回的に切り替える。また、パターン切替機能３７ａは、リモコン端末６０に備わる第２ボタンに対応するシグナルを受信すると、モニタ４０の分割パターンを４画面モードおよび５画面モードのうちで巡回的に切り替える。また、パターン切替機能３７ａは、リモコン端末６０に備わる第３ボタンに対応するシグナルを受信すると、モニタ４０の分割パターンを６画面モードおよび９画面モードのうちで巡回的に切り替える。
【００２５】
画面選択機能３７ｂは、リモコン端末６０に備わる第４乃至第９ボタンのいずれかに対応するシグナルを受信すると、当該受信したときの分割パターンにおけるいずれか１つの画面を選択する。
【００２６】
図３は、リモコン端末６０の外観の一例を示す図である。リモコン端末６０は、操作面上に、複数のボタンを配置することができる。図４に示されるように、例えば４列（１〜４）×１２（１〜９、Ａ、Ｂ、Ｃ）行のマス目位置に最大で４８個のボタンを配置することができる。
【００２７】
このうち、（画面選択）として囲まれた領域に［３−１］、［３−２］、［３−３］、［４−１］、［４−２］、［４−３］、［５−１］、［５−２］、および［５−３］の９つのボタンが配置される。リモコン端末６０は、押下されたボタンに固有のビットパターンのシグナルを発生し、このシグナルを空間を介してモニタ４０に伝送する。
【００２８】
［３−１］ボタンに単画面、［３−２］ボタンに４分割、［３−３］ボタンに６分割といった文字が付され、それぞれ操作内容の目安となっている。  
［４−１］、［４−２］、［４−３］、［５−１］、［５−２］、および［５−３］の各ボタンは、（分割画面→単画面）として囲まれた領域に配置されている。これらのボタンは各分割パターンにおいていずれか１つの画面を選択するために使用される。
【００２９】
次に、リモコン端末６０への操作と分割パターンの切り替えとの関係について詳しく説明する。まず、リモコン端末６０への操作に応じてモニタ４０の分割パターンが切り替わることについて説明する。
【００３０】
＜分割パターン切替＞
図４は、［３−１］ボタンが押下された場合の分割パターンの切り替えについて示す図である。［３−１］ボタンが押下されると、分割パターンは単画面モードに切り替わる。単画面モードから［３−１］ボタンが押下されると、分割パターンは２画面モードに切り替わる。２画面モードから［３−１］ボタンが押下されると、分割パターンは３画面モードに切り替わる。３画面モードから［３−１］ボタンが押下されると、分割パターンは再び単画面モードに戻る。
【００３１】
すなわちパターン切替機能３７ａ（図２）は、［３−１］ボタンが押下されるごとにモニタ４０の分割パターンを単画面モード、２画面モード、および３画面モードの間で巡回的に（サイクリックに）切り替える。
【００３２】
図５は、［３−２］ボタンが押下された場合の分割パターンの切り替えについて示す図である。［３−２］ボタンが押下されると、分割パターンは４画面モードに切り替わる。４画面モードから［３−２］ボタンが押下されると、分割パターンは４画面ａモードに切り替わる。４画面ａモードから［３−２］ボタンが押下されると、分割パターンは４画面ｂモードに切り替わる。４画面ｂモードから［３−２］ボタンが押下されると、分割パターンは５画面モードに切り替わる。５画面モードから［３−２］ボタンが押下されると、分割パターンは再び４画面モードに戻る。
【００３３】
すなわちパターン切替機能３７ａは、［３−２］ボタンが押下されるごとにモニタ４０の分割パターンを４画面モード、４画面ａモード、４画面ｂモードおよび５画面モードの間で巡回的に切り替える。
【００３４】
なお４画面ａモード、４画面ｂモードのいずれも、１つの子画面が主画面とし、他の３つの子画面をそれよりサイズの小さい画面（サブ画面）として表示するモードである。４画面ａモードではサブ画面が主画面の例えば右側に縦に配列される。４画面ｂモードではサブ画面が主画面の例えば下側に横に配列される。
【００３５】
図６は、［３−３］ボタンが押下された場合の分割パターンの切り替えについて示す図である。［３−３］ボタンが押下されると、分割パターンは６画面モードに切り替わる。６画面モードから［３−３］ボタンが押下されると、分割パターンは６画面ａモードに切り替わる。６画面ａモードから［３−３］ボタンが押下されると、分割パターンは９画面モードに切り替わる。９画面モードから［３−３］ボタンが押下されると、分割パターンは再び単画面モードに戻る。
【００３６】
すなわちパターン切替機能３７ａは、［３−３］ボタンが押下されるごとにモニタ４０の分割パターンを６画面モード、６画面ａモード、および９画面モードの間で巡回的に切り替える。
【００３７】
なお６画面モードは、６つの子画面が均等なサイズで表示されるモードである。６画面ａモードは、１つの子画面を主画面とし、他の５つの子画面をそれよりサイズの小さいサブ画面として表示するモードである。６画面ａモードではサブ画面が主画面の例えば右側から下側にかけて逆Ｌ字型に配列される。
【００３８】
次に、各分割パターンで一つの子画面を選択する際のリモコン端末６０の操作について説明する。  
＜画面選択＞
［２画面モード］
図７は、２画面モードにおけるリモコン端末６０の操作と選択される画面との関係を例示する図である。２画面モードでボタン［４−１］または［５−１］のいずれかが押下されると、子画面（１）が選択される。また、ボタン［４−２］、［４−３］、［５−２］または［５−３］のいずれかが押下されると、子画面（２）が選択される。このようにボタンの配置と子画面の位置とがほぼ対応しており、人間工学的に配慮した操作内容となっている。
【００３９】
［３画面モード］
図８は、３画面モードにおけるリモコン端末６０の操作と選択される画面との関係を例示する図である。３画面モードでボタン［４−１］または［５−１］のいずれかが押下されると、子画面（１）が選択される。ボタン［４−２］が押下されると、子画面（２）が選択される。また、ボタン［４−３］、［５−２］または［５−３］のいずれかが押下されると、子画面（３）が選択される。
【００４０】
［４画面モード］
図９は、４画面モードにおけるリモコン端末６０の操作と選択される画面との関係を例示する図である。４画面モードでボタン［４−１］が押下されると、子画面（１）が選択される。ボタン［５−１］が押下されると、子画面（２）が選択される。ボタン［４−２］または［４−３］のいずれかが押下されると、子画面（３）が選択される。また、ボタン［５−２］または［５−３］のいずれかが押下されると、子画面（４）が選択される。
【００４１】
［４画面ａモード］
図１０は、４画面ａモードにおけるリモコン端末６０の操作と選択される画面との関係を例示する図である。４画面ａモードでボタン［４−１］または［５−１］が押下されると、子画面（１）が選択される。ボタン［４−２］が押下されると、子画面（２）が選択される。ボタン［４−３］または［５−２］のいずれかが押下されると、子画面（３）が選択される。また、ボタン［５−３］が押下されると、子画面（４）が選択される。
【００４２】
［４画面ｂモード］
図１１は、４画面ｂモードにおけるリモコン端末６０の操作と選択される画面との関係を例示する図である。４画面ｂモードでボタン［４−１］が押下されると、子画面（１）が選択される。ボタン［４−２］または［５−１］が押下されると、子画面（２）が選択される。ボタン［４−３］または［５−２］のいずれかが押下されると、子画面（３）が選択される。また、ボタン［５−３］が押下されると、子画面（４）が選択される。
【００４３】
［５画面モード］
図１２は、５画面モードにおけるリモコン端末６０の操作と選択される画面との関係を例示する図である。５画面モードでボタン［４−１］または［５−１］が押下されると、子画面（１）が選択される。ボタン［４−２］が押下されると、子画面（２）が選択される。ボタン［４−３］が押下されると、子画面（３）が選択される。ボタン［５−２］が押下されると、子画面（４）が選択される。また、ボタン［５−３］が押下されると、子画面（５）が選択される。
【００４４】
［６画面モード］
図１３は、６画面モードにおけるリモコン端末６０の操作と選択される画面との関係を例示する図である。６画面モードでボタン［４−１］が押下されると、子画面（１）が選択される。ボタン［４−２］が押下されると、子画面（２）が選択される。ボタン［４−３］が押下されると、子画面（３）が選択される。ボタン［５−１］が押下されると、子画面（４）が選択される。ボタン［５−２］が押下されると、子画面（５）が選択される。また、ボタン［５−３］が押下されると、子画面（６）が選択される。
【００４５】
［６画面ａモード］
図１４は、６画面ａモードにおけるリモコン端末６０の操作と選択される画面との関係を例示する図である。６画面モードａにおいても、ボタン［４−１］が押下されると、子画面（１）が選択される。ボタン［４−２］が押下されると、子画面（２）が選択される。ボタン［４−３］が押下されると、子画面（３）が選択される。ボタン［５−１］が押下されると、子画面（４）が選択される。ボタン［５−２］が押下されると、子画面（５）が選択される。また、ボタン［５−３］が押下されると、子画面（６）が選択される。
【００４６】
［９画面モード］
図１５は、９画面モードにおけるリモコン端末６０の操作と選択される画面との関係を例示する図である。９画面モードにおいて、ボタン［４−１］が押下されると、子画面（１）が選択される。ボタン［４−２］が押下されると、子画面（２）が選択される。ボタン［４−３］が押下されると、子画面（３）が選択される。  
ボタン［５−１］が押下されると、子画面（４）が選択される。ボタン［５−２］が押下されると、子画面（５）が選択される。また、ボタン［５−３］が押下されると、子画面（６）が選択される。
【００４７】
そして、子画面（４）の選択されている状態からボタン［５−１］が押下されると、子画面（７）が選択される。逆に子画面（７）の選択されている状態からボタン［５−１］が押下されると、子画面（４）の選択された状態に戻る。  
子画面（５）の選択されている状態からボタン［５−２］が押下されると、子画面（８）が選択される。逆に子画面（８）の選択されている状態からボタン［５−２］が押下されると、子画面（５）の選択された状態に戻る。  
子画面（６）の選択されている状態からボタン［５−３］が押下されると、子画面（９）が選択される。逆に子画面（９）の選択されている状態からボタン［５−３］が押下されると、子画面（６）の選択された状態に戻る。  
このように、子画面の数がボタンの数よりも多いモードにおいては、一つのボタンの押下を繰り返すことで、異なる画面選択状態を巡回的に切り替えるようにする。
【００４８】
以上説明したようにこの実施形態では、デコーダ３０にパターン切替機能３７ａを備え、リモコン端末６０からボタン［３−１］に対応するシグナルを受信すると、モニタ４０の画面の分割パターンを単画面モード、２画面モードおよび３画面モードのうちで巡回的に切り替える。また、ボタン［３−２］に対応するシグナルを受信すると、モニタ４０の画面の分割パターンを４画面モードおよび５画面モードのうちで巡回的に切り替える。また、ボタン［３−３］に対応するシグナルを受信すると、モニタ４０の画面の分割パターンを６画面モードおよび９画面モードのうちで巡回的に切り替える。
【００４９】
また実施形態では、デコーダ３０に画面選択機能３７ｂを備え、リモコン端末６０からボタン［４−１］、［４−２］、［４−３］、［５−１］、［５−２］、および［５−３］のいずれかに対応するシグナルを受信すると、当該受信したときの分割パターンにおけるいずれか１つの画面を選択するようにした。これにより画面分割数、あるいは画面選択数に比べてボタンの数の少ないリモコン端末を用いた場合でも、多種多様な画面制御を行うことが可能になる。
【００５０】
従って実施形態によれば、リモコンのボタンの数を増やすことなく画面操作のバリエーションを充実させることの可能なデコーダ装置、リモコン端末および画面操作方法を提供することが可能となる。
【００５１】
なお本発明は上記実施形態に限定されるものではない。例えば、実施形態ではデコーダ３０が受光部３９を備える形態を示した。これに限らず、モニタ４０に受光部３９を備え、リモコン端末６０の操作内容をモニタ４０が直接解釈するようにしても良い。  
もちろん、ボタンの数や配置も図示したものに限定されるものではない。例えば実施形態ではボタン［３−１］に単画面モード、２画面モードおよび３画面モードを割り当て、ボタン［３−２］に４画面モードおよび５画面モードを割り当て、ボタン［３−３］に６画面モードおよび９画面モードを割り当てるようにしたが、これに限られ得るものではない。要するに、リモコン端末に設けられた操作ボタンに複数の表示モードを割り当て、操作ボタンが押下されるごとに、表示モードを巡回的に切り替えるようにすれば本願の目的は達成される。
【００５２】
また、例えば第１および第２のボタンにそれぞれ異なる表示モードを割り当てるようにしても良い。例えば第１ボタンに単画面モード、２画面モードおよび３画面モードを割り当て、第２ボタンにそれ以外の４画面モード、５画面モード、６画面モードおよび９画面モードを割り当てるようにしてもよい。
【００５３】
本発明の実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５４】
１…ネットワーク、１０…カメラ装置、１１…カメラ、１２…周辺機器、１３…カメラコントローラ、１４…エンコーダ、２０…カメラサーバ、３０…デコーダ、３１…インターフェース部、３２…バッファ装置、３４…映像復号化部、３５…文字処理部、３６…画像合成部、３７…制御回路、３７ａ…パターン切替機能、３７ｂ…画面選択機能、３８…信号処理部、３９…受光部、４０…モニタ、５０…操作用パーソナルコンピュータ、６０…リモコン端末、１００…伝送回線。
【図１】
2018056946.tif 000003
【図２】
2018056946.tif 000004
【図３】
2018056946.tif 000005
【図４】
2018056946.tif 000006
【図５】
2018056946.tif 000007
【図６】
2018056946.tif 000008
【図７】
2018056946.tif 000009
【図８】
2018056946.tif 000010
【図９】
2018056946.tif 000011
【図１０】
2018056946.tif 000012
【図１１】
2018056946.tif 000013
【図１２】
2018056946.tif 000014
【図１３】
2018056946.tif 000015
【図１４】
2018056946.tif 000016
【図１５】
2018056946.tif 000017